【手続補正書】
【提出日】平成16年10月1日(2004.10.1)
【手続補正１】
【補正対象書類名】明細書
【補正対象項目名】特許請求の範囲
【補正方法】変更
【補正の内容】
【特許請求の範囲】
【請求項１】
「通信衛星（ＣＳ）からの電波若しくは地上波放送局や放送衛星（ＢＳ）からのテレビ放送用電波により、有線テレビ（ＣＡＴＶ）放送用のケーブルにより、又は、インターネットなどに用いられる通信回線により、送られてくる番組」又は「外部の通信ネットワークを介して又は外部の記録装置から送信されてくる情報」を表示するために、ユーザーの居る場所から約２ｍ以上離れた位置に据え置かれて使用される大型の表示装置であって、複数人のユーザーが共同で見ることができる据置大型表示装置と、
ユーザーの手元で使用される小型の表示装置であって、前記複数人のユーザーの中の一部のユーザーが個別に見ることができる手元小型表示装置と、
前記据置大型表示装置に「ある情報」が表示されているとき、「その据置大型表示装置の表示内容と関連する内容」を前記手元小型表示装置に表示させるための連携手段と、を含んでおり、
前記連携手段は、前記据置大型表示装置が、「ある対象をあるカメラ・アングルで撮像した画像」を表示しているとき、前記手元小型表示装置に、前記据置大型表示装置の画面に表示されている画像と撮像の対象は同じだが「撮像するカメラの角度又は場所が異なっている他のカメラ・アングルで撮像した画像」を表示させるものである、複数連携型表示システム。
【請求項２】
「通信衛星（ＣＳ）からの電波若しくは地上波放送局や放送衛星（ＢＳ）からのテレビ放送用電波により、有線テレビ（ＣＡＴＶ）放送用のケーブルにより、又は、インターネットなどに用いられる通信回線により、送られてくる番組」又は「外部の通信ネットワークを介して又は外部の記憶装置から送信されてくる情報」を表示するために、ユーザーの居る場所から約２ｍ以上離れた位置に据え置かれて使用される大型の表示装置であって、複数人のユーザーが共同で見ることができる据置大型表示装置と、
ユーザーの手元で使用される小型の表示装置であって、前記複数人のユーザーの中の一部のユーザーが個別に見ることができる手元小型表示装置と、
前記据置大型表示装置に「ある情報」が表示されているとき、「その据置大型表示装置の表示内容と関連する内容」を前記手元小型表示装置に表示させるための連携手段と、を含んでおり、
前記連携手段は、前記据置大型表示装置が「複数の人物」を含む画像を表示しているとき、前記手元小型表示装置に、前記据置大型表示装置の画面に表示されている複数の人物の中の「ある特定の人物」の画像を拡大して表示させるものである、複数連携型表示システム。
【請求項３】
「通信衛星（ＣＳ）からの電波若しくは地上波放送局や放送衛星（ＢＳ）からのテレビ放送用電波により、有線テレビ（ＣＡＴＶ）放送用のケーブルにより、又は、インターネットなどに用いられる通信回線により、送られてくる番組」又は「外部の通信ネットワークを介して又は外部の記録装置から送信されてくる情報」を表示するために、ユーザーの居る場所から約２ｍ以上離れた位置に据え置かれて使用される大型の表示装置であって、複数人のユーザーが共同で見ることができる据置大型表示装置と、
ユーザーの手元で使用される小型の表示装置であって、前記複数人のユーザーの中の一部のユーザーが個別に見ることができる手元小型表示装置と、
前記据置大型表示装置に「ある情報」が表示されているとき、「その据置大型表示装置の表示内容と関連する内容」を前記手元小型表示装置に表示させるための連携手段と、を含んでおり、
前記連携手段は、前記据置大型表示装置が「ある画像」を表示しているとき、前記手元小型表示装置に、前記据置大型表示装置の画面に表示されている画像の中の「一部」の画像を拡大して表示させるものである、複数連携型表示システム。
【請求項４】
「通信衛星（ＣＳ）からの電波若しくは地上波放送局や放送衛星（ＢＳ）からのテレビ放送用電波により、有線テレビ（ＣＡＴＶ）放送用のケーブルにより、又は、インターネットなどに用いられる通信回線により、送られてくる番組」又は「外部の通信ネットワークを介して又は外部の記録装置から送信されてくる情報」を表示するために、ユーザーの居る場所から約２ｍ以上離れた位置に据え置かれて使用される大型の表示装置であって、複数人のユーザーが共同で見ることができる据置大型表示装置と、
ユーザーの手元で使用される小型の表示装置であって、前記複数人のユーザーの中の一部のユーザーが個別に見ることができる手元小型表示装置と、
前記据置大型表示装置に「ある情報」が表示されているとき、「その据置大型表示装置の表示内容と関連する内容」を前記手元小型表示装置に表示させるための連携手段と、を含んでおり、
前記連携手段は、前記据置大型表示装置が「ある動画像」を表示しているとき、前記手元小型表示装置に、前記据置大型表示装置により表示された動画像の中の「ある時点における画像」を「静止画像」として表示させるものである、複数連携型表示システム。
【請求項５】
「通信衛星（ＣＳ）からの電波若しくは地上波放送局や放送衛星（ＢＳ）からのテレビ放送用電波により、有線テレビ（ＣＡＴＶ）放送用のケーブルにより、又は、インターネットなどに用いられる通信回線により、送られてくる番組」又は「外部の通信ネットワークを介して又は外部の記録装置から送信されてくる情報」を表示するために、ユーザーの居る場所から約２ｍ以上離れた位置に据え置かれて使用される大型の表示装置であって、複数人のユーザーが共同で見ることができる据置大型表示装置と、
ユーザーの手元で使用される小型の表示装置であって、前記複数人のユーザーの中の一部のユーザーが個別に見ることができる手元小型表示装置と、
前記据置大型表示装置に「ある情報」が表示されているとき、「その据置大型表示装置の表示内容と関連する内容」を前記手元小型表示装置に表示させるための連携手段と、を含んでおり、
前記連携手段は、前記据置大型表示装置が「ある動画像」を表示しているとき、前記手元小型表示装置に、前記据置大型表示装置により表示された動画像の中の「ある時点以降の動画像」を表示させるものである、複数連携型表示システム。
【請求項６】
「通信衛星（ＣＳ）からの電波若しくは地上波放送局や放送衛星（ＢＳ）からのテレビ放送用電波により、有線テレビ（ＣＡＴＶ）放送用のケーブルにより、又は、インターネットなどに用いられる通信回線により、送られてくる番組」又は「外部の通信ネットワークを介して又は外部の記録装置から送信されてくる情報」を表示するために、ユーザーの居る場所から約２ｍ以上離れた位置に据え置かれて使用される大型の表示装置であって、複数人のユーザーが共同で見ることができる据置大型表示装置と、
文字又は画像を含む情報を表示するための手元小型表示装置であって、ユーザーの手元で使用され、前記複数人のユーザーの中の一部のユーザーが個別に見ることができる手元小型表示装置と、
前記据置大型表示装置に「ある情報」が表示されているとき、「その据置大型表示装置の表示内容と関連する内容」を前記手元小型表示装置に表示させるための連携手段と、を含んでおり、
前記連携手段は、前記据置大型表示装置が「外語語の文字列」を表示しているとき、前記「外語語の文字列」を翻訳する手段と、この翻訳手段により得られた文字列を前記手元小型表示装置に表示させる手段とを含むものである、ことを特徴とする、複数連携型表示システム。
【請求項７】
「通信衛星（ＣＳ）からの電波若しくは地上波放送局や放送衛星（ＢＳ）からのテレビ放送用電波により、有線テレビ（ＣＡＴＶ）放送用のケーブルにより、又は、インターネットなどに用いられる通信回線により、送られてくる番組」又は「外部の通信ネットワークを介して又は外部の記録装置から送信されてくる情報」を表示するために、ユーザーの居る場所から約２ｍ以上離れた位置に据え置かれて使用される大型の表示装置であって、複数人のユーザーが共同で見ることができる据置大型表示装置と、
文字又は画像を含む情報を表示するための手元小型表示装置であって、ユーザーの手元で使用され、前記複数人のユーザーの中の一部のユーザーが個別に見ることができる手元小型表示装置と、
前記据置大型表示装置に「ある情報」が表示されているとき、「その据置大型表示装置の表示内容と関連する内容」を前記手元小型表示装置に表示させるための連携手段と、を含んでおり、
前記連携手段は、前記据置大型表示装置が「ある用語」を示す文字列を表示しているとき、前記「用語」の意味を辞書により検索する手段と、この検索手段により得られた前記「用語」の意味を前記手元小型表示装置に表示させる手段とを含むものである、ことを特徴とする、複数連携型表示システム。
【請求項８】
「通信衛星（ＣＳ）からの電波若しくは地上波放送局や放送衛星（ＢＳ）からのテレビ放送用電波により、有線テレビ（ＣＡＴＶ）放送用のケーブルにより、又は、インターネットなどに用いられる通信回線により、送られてくる番組」又は「外部の通信ネットワークを介して又は外部の記録装置から送信されてくる情報」を表示するために、ユーザーの居る場所から約２ｍ以上離れた位置に据え置かれて使用される大型の表示装置であって、複数人のユーザーが共同で見ることができる据置大型表示装置と、
ユーザーの手元で使用される小型の表示装置であって、前記複数人のユーザーの中の一部のユーザーが個別に見ることができる手元小型表示装置と、
文字又は画像を含む情報を表示するための手元小型表示装置であって、ユーザーの手元で使用され、前記複数人のユーザーの中の一部のユーザーが個別に見ることができる手元小型表示装置と、
前記据置大型表示装置に「ある情報」が表示されているとき、「その据置大型表示装置の表示内容と関連する内容」を前記手元小型表示装置に表示させるための連携手段と、を含んでおり、
前記連携手段は、前記据置大型表示装置が「会話の場面」を出力しているとき、前記「会話」の音声を文字に変換する手段と、この変換手段により得られた文字列を前記手元小型表示装置に表示させる手段とを含むものである、ことを特徴とする、複数連携型表示システム。
【請求項９】
「通信衛星（ＣＳ）からの電波若しくは地上波放送局や放送衛星（ＢＳ）からのテレビ放送用電波により、有線テレビ（ＣＡＴＶ）放送用のケーブルにより、又は、インターネットなどに用いられる通信回線により、送られてくる番組」又は「外部の通信ネットワークを介して又は外部の記録装置から送信されてくる情報」を表示するために、ユーザーの居る場所から約２ｍ以上離れた位置に据え置かれて使用される大型の表示装置であって、複数人のユーザーが共同で見ることができる据置大型表示装置と、
ユーザーの手元で使用される小型の表示装置であって、前記複数人のユーザーの中の一部のユーザーが個別に見ることができる手元小型表示装置と、
文字又は画像を含む情報を表示するための手元小型表示装置であって、ユーザーの手元で使用され、前記複数人のユーザーの中の一部のユーザーが個別に見ることができる手元小型表示装置と、
前記据置大型表示装置に「ある情報」が表示されているとき、「その据置大型表示装置の表示内容と関連する内容」を前記手元小型表示装置に表示させるための連携手段と、を含んでおり、
前記連携手段は、前記据置大型表示装置が「外国語による会話の場面」を出力しているとき、前記「外語語による会話」の音声を文字に変換する手段と、この変換手段により得られた外国語の文字列を翻訳する手段と、この翻訳手段により得られた文字列を前記手元小型表示装置に表示させる手段とを含むものである、ことを特徴とする、複数連携型表示システム。
【請求項１０】
「通信衛星（ＣＳ）からの電波若しくは地上波放送局や放送衛星（ＢＳ）からのテレビ放送用電波により、有線テレビ（ＣＡＴＶ）放送用のケーブルにより、又は、インターネットなどに用いられる通信回線により、送られてくる番組」又は「外部の通信ネットワークを介して又は外部の記録装置から送信されてくる情報」を表示するために、ユーザーの居る場所から約２ｍ以上離れた位置に据え置かれて使用される大型の表示装置であって、複数人のユーザーが共同で見ることができる据置大型表示装置と、
ユーザーの手元で使用される小型の表示装置であって、前記複数人のユーザーの中の一部のユーザーが個別に見ることができる手元小型表示装置と、
前記据置大型表示装置に「ある情報」が表示されているとき、「その据置大型表示装置の表示内容と関連する内容」を前記手元小型表示装置に表示させるための連携手段と、を含んでおり、
前記連携手段は、前記据置大型表示装置が「インターネット上のあるホームページ」を表示しているとき、「前記据置大型表示装置に表示されているホームページがリンクしているリンク先のホームページ」を、前記手元小型表示装置に表示させるものである、ことを特徴とする、複数連携型表示システム。
【請求項１１】
「通信衛星（ＣＳ）からの電波若しくは地上波放送局や放送衛星（ＢＳ）からのテレビ放送用電波により、有線テレビ（ＣＡＴＶ）放送用のケーブルにより、又は、インターネットなどに用いられる通信回線により、送られてくる番組」又は「外部の通信ネットワークを介して又は外部の記録装置から送信されてくる情報」を表示するために、ユーザーの居る場所から約２ｍ以上離れた位置に据え置かれて使用される大型の表示装置であって、複数人のユーザーが共同で見ることができる据置大型表示装置と、
ユーザーの手元で使用される小型の表示装置であって、前記複数人のユーザーの中の一部のユーザーが個別に見ることができる手元小型表示装置と、
前記据置大型表示装置に「ある情報」が表示されているとき、「その据置大型表示装置の表示内容と関連する内容」を前記手元小型表示装置に表示させるための連携手段と、を含んでおり、
前記連携手段は、前記据置大型表示装置が「それまで自らが表示していたインターネット上のホームページ」がリンクしている「リンク先のホームページ」を表示したとき、「それまで前記据置大型表示装置に表示されていた元のホームページ」を、前記手元小型表示装置に表示させるものである、ことを特徴とする、複数連携型表示システム。
【請求項１２】
「通信衛星（ＣＳ）からの電波若しくは地上波放送局や放送衛星（ＢＳ）からのテレビ放送用電波により、有線テレビ（ＣＡＴＶ）放送用のケーブルにより、又は、インターネットなどに用いられる通信回線により、送られてくる番組」又は「外部の通信ネットワークを介して又は外部の記録装置から送信されてくる情報」を表示するために、ユーザーの居る場所から約２ｍ以上離れた位置に据え置かれて使用される大型の表示装置であって、複数人のユーザーが共同で見ることができる据置大型表示装置と、
ユーザーの手元で使用される小型の表示装置であって、前記複数人のユーザーの中の一部のユーザーが個別に見ることができる手元小型表示装置と、
ユーザーの手元で使用される小型の表示装置であって、前記複数人のユーザーの中の一部のユーザーが個別に見ることができる手元小型表示装置と、
前記据置大型表示装置に「ある情報」が表示されているとき、「その据置大型表示装置の表示内容と関連する内容」を前記手元小型表示装置に表示させるための連携手段と、を含んでおり、
前記連携手段は、前記据置大型表示装置により「ある画像」が表示されているとき、「前記据置大型表示装置の表示内容と関連するインターネット上のホームページ」を、前記手元小型表示装置に表示させるものである、ことを特徴とする、複数連携型表示システム。
【請求項１３】
「通信衛星（ＣＳ）からの電波若しくは地上波放送局や放送衛星（ＢＳ）からのテレビ放送用電波により、有線テレビ（ＣＡＴＶ）放送用のケーブルにより、又は、インターネットなどに用いられる通信回線により、送られてくる番組」又は「外部の通信ネットワークを介して又は外部の記録装置から送信されてくる情報」を表示するために、ユーザーの居る場所から約２ｍ以上離れた位置に据え置かれて使用される大型の表示装置であって、複数人のユーザーが共同で見ることができる据置大型表示装置と、
ユーザーの手元で使用される小型の表示装置であって、前記複数人のユーザーの中の一部のユーザーが個別に見ることができる手元小型表示装置と、
文字又は画像を含む情報を表示するための手元小型表示装置であって、ユーザーの手元で使用され、前記複数人のユーザーの中の一部のユーザーが個別に見ることができる手元小型表示装置と、
前記据置大型表示装置に「ある情報」が表示されているとき、「その据置大型表示装置の表示内容と関連する内容」を前記手元小型表示装置に表示させるための連携手段と、を含んでおり、
前記連携手段は、前記据置大型表示装置により「一人又は複数の人物を含む画像」が表示されているとき、「前記一人又は複数の人物のプロフィール及び所定の画像」を、前記手元小型表示装置に表示させるものである、ことを特徴とする、複数連携型表示システム。
【請求項１４】
「通信衛星（ＣＳ）からの電波若しくは地上波放送局や放送衛星（ＢＳ）からのテレビ放送用電波により、有線テレビ（ＣＡＴＶ）放送用のケーブルにより、又は、インターネットなどに用いられる通信回線により、送られてくる番組」又は「外部の通信ネットワークを介して又は外部の記録装置から送信されてくる情報」を表示するために、ユーザーの居る場所から約２ｍ以上離れた位置に据え置かれて使用される大型の表示装置であって、複数人のユーザーが共同で見ることができる据置大型表示装置と、
ユーザーの手元で使用される小型の表示装置であって、前記複数人のユーザーの中の一部のユーザーが個別に見ることができる手元小型表示装置と、
文字又は画像を含む情報を表示するための手元小型表示装置であって、ユーザーの手元で使用され、前記複数人のユーザーの中の一部のユーザーが個別に見ることができる手元小型表示装置と、
前記据置大型表示装置に「ある情報」が表示されているとき、「その据置大型表示装置の表示内容と関連する内容」を前記手元小型表示装置に表示させるための連携手段と、を含んでおり、
前記連携手段は、「通信衛星（ＣＳ）からの電波若しくは地上波放送局や放送衛星（ＢＳ）からのテレビ放送用電波、有線テレビ（ＣＡＴＶ）放送用のケーブル、又は、インターネットなどに用いられる通信回線を介して送られてくるビデオゲーム用のプログラム及びデータにより、又は外部の記録装置から送られてくるビデオゲーム用のプログラム及びデータにより表示されるゲーム画面」が前記据置大型表示装置に表示されているとき、「前記ゲーム画面と関連はするが基本的に異なる内容であって前記ゲームのキャラクタの画像を含む内容」を、前記手元小型表示装置に表示させるものである、ことを特徴とする、複数連携型表示システム。
【請求項１５】
「通信衛星（ＣＳ）からの電波若しくは地上波放送局や放送衛星（ＢＳ）からのテレビ放送用電波により、有線テレビ（ＣＡＴＶ）放送用のケーブルにより、又は、インターネットなどに用いられる通信回線により、送られてくる番組」又は「外部の通信ネットワークを介して又は外部の記録装置から送信されてくる情報」を表示するために、ユーザーの居る場所から約２ｍ以上離れた位置に据え置かれて使用される大型の表示装置であって、複数人のユーザーが共同で見ることができる据置大型表示装置と、
ユーザーの手元で使用される小型の表示装置であって、前記複数人のユーザーの中の一部のユーザーが個別に見ることができる手元小型表示装置と、
文字又は画像を含む情報を表示するための手元小型表示装置であって、ユーザーの手元で使用され、前記複数人のユーザーの中の一部のユーザーが個別に見ることができる手元小型表示装置と、
前記据置大型表示装置に「ある情報」が表示されているとき、「その据置大型表示装置の表示内容と関連する内容」を前記手元小型表示装置に表示させるための連携手段と、を含んでおり、
前記連携手段は、前記据置大型表示装置に「ある画像」が表示されているとき、略リアルタイムに、「前記据置大型表示装置の表示内容と関連する内容であって人物やキャラクタなどの画像を含む内容」を前記手元小型表示装置に表示させるものである、ことを特徴とする、複数連携型表示システム。
【請求項１６】
「通信衛星（ＣＳ）からの電波若しくは地上波放送局や放送衛星（ＢＳ）からのテレビ放送用電波により、有線テレビ（ＣＡＴＶ）放送用のケーブルにより、又は、インターネットなどに用いられる通信回線により、送られてくる番組」又は「外部の通信ネットワークを介して又は外部の記録装置から送信されてくる情報」を表示するために、ユーザーの居る場所から約２ｍ以上離れた位置に据え置かれて使用される大型の表示装置であって、複数人のユーザーが共同で見ることができる据置大型表示装置と、
ユーザーの手元で使用される小型の表示装置であって、前記複数人のユーザーの中の一部のユーザーが個別に見ることができる手元小型表示装置と、
前記据置大型表示装置に「ある情報」が表示されているとき、「その据置大型表示装置の表示内容と関連する内容」を前記手元小型表示装置に表示させるための連携手段と、を含んでおり、
前記手元小型表示装置は、他の手元小型表示装置との間で、画像データ、文字データ、又は音声データなどのデータを無線により送受信するための手段を備えている、ことを特徴とする、複数連携型表示システム。
【請求項１７】
「通信衛星（ＣＳ）からの電波若しくは地上波放送局や放送衛星（ＢＳ）からのテレビ放送用電波により、有線テレビ（ＣＡＴＶ）放送用のケーブルにより、又は、インターネットなどに用いられる通信回線により、送られてくる番組」又は「外部の通信ネットワークを介して又は外部の記録装置から送信されてくる情報」を表示するために、ユーザーの居る場所から約２ｍ以上離れた位置に据え置かれて使用される大型の表示装置であって、複数人のユーザーが共同で見ることができる据置大型表示装置と、
ユーザーの手元で使用される小型の表示装置であって、前記複数人のユーザーの中の一部のユーザーが個別に見ることができる手元小型表示装置と、
前記据置大型表示装置に「ある情報」が表示されているとき、「その据置大型表示装置の表示内容と関連する内容」を前記手元小型表示装置に表示させるための連携手段と、を含んでおり、
前記手元小型表示装置は、その画面がユーザーの視野の中で前記据置大型表示装置の画面と互いに重なる位置に配置可能となっており、且つ、その画面がユーザーがそれを通して前記据置大型表示装置の画面を見ることができるようなシースルー・タイプのものとして構成されている、ことを特徴とする、複数連携型表示システム。
【請求項１８】
「通信衛星（ＣＳ）からの電波若しくは地上波放送局や放送衛星（ＢＳ）からのテレビ放送用電波により、有線テレビ（ＣＡＴＶ）放送用のケーブルにより、又は、インターネットなどに用いられる通信回線により、送られてくる番組」又は「外部の通信ネットワークを介して又は外部の記録装置から送信されてくる情報」を表示するために、ユーザーの居る場所から約２ｍ以上離れた位置に据え置かれて使用される大型の表示装置であって、複数人のユーザーが共同で見ることができる据置大型表示装置と、
ユーザーの手元で使用される小型の表示装置であって、前記複数人のユーザーの中の一部のユーザーが個別に見ることができる手元小型表示装置と、
前記据置大型表示装置に「ある情報」が表示されているとき、「その据置大型表示装置の表示内容と関連する内容」を前記手元小型表示装置に表示させるための連携手段と、を含んでおり、
前記据置大型表示装置は、「親画面」と共に、その「親画面」の中に「窓」のように構成された「子画面」をも表示できる、親子画面表示機能を有しており、
前記連携手段は、前記据置大型表示装置が「親画面」の中に「子画面」を表示しているとき、前記手元小型表示装置に、前記の据置大型表示装置の「子画面」の表示内容を表示させるものである、ことを特徴とする、複数連携型表示システム。
【請求項１９】
「通信衛星（ＣＳ）からの電波若しくは地上波放送局や放送衛星（ＢＳ）からのテレビ放送用電波により、有線テレビ（ＣＡＴＶ）放送用のケーブルにより、又は、インターネットなどに用いられる通信回線により、送られてくる番組」又は「外部の通信ネットワークを介して又は外部の記録装置から送信されてくる情報」を表示するために、ユーザーの居る場所から約２ｍ以上離れた位置に据え置かれて使用される大型の表示装置であって、複数人のユーザーが共同で見ることができる据置大型表示装置と、
ユーザーの手元で使用される小型の表示装置であって、前記複数人のユーザーの中の一部のユーザーが個別に見ることができる手元小型表示装置と、
前記据置大型表示装置に「ある情報」が表示されているとき、「その据置大型表示装置の表示内容と関連する内容」を前記手元小型表示装置に表示させるための連携手段と、を含んでおり、
前記据置大型表示装置は、「親画面」と共に、その「親画面」の中に「窓」のように構成された「子画面」をも表示できる、親子画面表示機能を有しており、
前記連携手段は、前記据置大型表示装置が「親画面」の中に「子画面」を表示しているとき、前記手元小型表示装置に前記の据置大型表示装置の「子画面」の表示内容を表示させると共に、前記の据置大型表示装置の画面から前記「子画面」を消去させるものである、ことを特徴とする、複数連携型表示システム。
【請求項２０】
請求項１８又は１９において、
前記連携手段は、さらに、前記手元小型表示装置の画面の中に「窓」のように表示された「子画面」の中に、前記の据置大型表示装置の「親画面」の内容を表示させるものである、ことを特徴とする、複数連携型表示システム。
【請求項２１】
「通信衛星（ＣＳ）からの電波若しくは地上波放送局や放送衛星（ＢＳ）からのテレビ放送用電波により、有線テレビ（ＣＡＴＶ）放送用のケーブルにより、又は、インターネットなどに用いられる通信回線により、送られてくる、映画などの番組」又は「外部の記録装置から送られてくる映画などの番組」を表示するために、ユーザーの居る場所から約２ｍ以上離れた位置に据え置かれて使用される大型の表示装置であって、複数人のユーザーが共同で見ることができる据置大型表示装置と、
ユーザーの手元で使用される小型の表示装置であって、前記複数人のユーザーの中の一部のユーザーが個別に見ることができる手元小型表示装置と、
前記据置大型表示装置に「ある情報」が表示されているとき、「その据置大型表示装置の表示内容と関連する内容」を前記手元小型表示装置に表示させるための連携手段と、を含んでおり、
前記連携手段は、前記据置大型表示装置が表示している「前記映画などの番組の中のある場面」において「一人又は複数の人物を含む画像」が表示されているとき、「前記一人又は複数の人物のプロフィール」を、前記手元小型表示装置に表示させるものである、ことを特徴とする、複数連携型表示システム。
【請求項２２】
「通信衛星（ＣＳ）からの電波若しくは地上波放送局や放送衛星（ＢＳ）からのテレビ放送用電波により、有線テレビ（ＣＡＴＶ）放送用のケーブルにより、又は、インターネットなどに用いられる通信回線により、送られてくる、映画などの番組」又は「外部の記録装置から送られてくる映画などの番組」を表示するために、ユーザーの居る場所から約２ｍ以上離れた位置に据え置かれて使用される大型の表示装置であって、複数人のユーザーが共同で見ることができる据置大型表示装置と、
ユーザーの手元で使用される小型の表示装置であって、前記複数人のユーザーの中の一部のユーザーが個別に見ることができる手元小型表示装置と、
前記据置大型表示装置に「ある情報」が表示されているとき、「その据置大型表示装置の表示内容と関連する内容」を前記手元小型表示装置に表示させるための連携手段と、を含んでおり、
前記連携手段は、前記据置大型表示装置が表示している「前記映画などの番組の中のある場面」において「ある商品」が表示されているとき、「前記商品に関する情報」を、前記手元小型表示装置に表示させるものである、ことを特徴とする、複数連携型表示システム。
【請求項２３】
「通信衛星（ＣＳ）からの電波若しくは地上波放送局や放送衛星（ＢＳ）からのテレビ放送用電波により、有線テレビ（ＣＡＴＶ）放送用のケーブルにより、又は、インターネットなどに用いられる通信回線により、送られてくる、映画などの番組」又は「外部の記録装置から送られてくる映画などの番組」を表示するために、ユーザーの居る場所から約２ｍ以上離れた位置に据え置かれて使用される大型の表示装置であって、複数人のユーザーが共同で見ることができる据置大型表示装置と、
ユーザーの手元で使用される小型の表示装置であって、前記複数人のユーザーの中の一部のユーザーが個別に見ることができる手元小型表示装置と、
前記据置大型表示装置に「ある情報」が表示されているとき、「その据置大型表示装置の表示内容と関連する内容」を前記手元小型表示装置に表示させるための連携手段と、を含んでおり、
前記連携手段は、前記据置大型表示装置が表示している「前記映画などの番組の中のある場面」において「ある場所又は地域を含む画像」が表示されているとき、「前記場所又は地域に関する観光又は食べ歩き情報」を、前記手元小型表示装置に表示させるものである、ことを特徴とする、複数連携型表示システム。
【請求項２４】
「通信衛星（ＣＳ）からの電波若しくは地上波放送局や放送衛星（ＢＳ）からのテレビ放送用電波により、有線テレビ（ＣＡＴＶ）放送用のケーブルにより、又は、インターネットなどに用いられる通信回線により、送られてくる、映画などの番組」又は「外部の記録装置から送られてくる映画などの番組」を表示するために、ユーザーの居る場所から約２ｍ以上離れた位置に据え置かれて使用される大型の表示装置であって、複数人のユーザーが共同で見ることができる据置大型表示装置と、
ユーザーの手元で使用される小型の表示装置であって、前記複数人のユーザーの中の一部のユーザーが個別に見ることができる手元小型表示装置と、
前記据置大型表示装置に「ある情報」が表示されているとき、「その据置大型表示装置の表示内容と関連する内容」を前記手元小型表示装置に表示させるための連携手段と、を含んでおり、
前記連携手段は、前記据置大型表示装置が表示している「前記映画などの番組の中のある場面」において「飲食店又は小売店を含む画像」が表示されているとき、「前記飲食店又は小売店に関する店舗情報」を、前記手元小型表示装置に表示させるものである、ことを特徴とする、複数連携型表示システム。
【請求項２５】
請求項１から２４までのいずれかにおいて、
前記据置大型表示装置は、前記連携手段からの信号に基づいて、前記据置大型表示装置の表示内容と関連する情報を、前記手元小型表示装置に無線により送信し、
前記手元小型表示装置は、前記の据置大型表示装置から送信されてきた情報を受信して表示するものである、ことを特徴とする、複数連携型表示システム。
【請求項２６】
請求項１から２４までのいずれかにおいて、
前記手元小型表示装置は、前記連携手段からの信号と、「通信衛星（ＣＳ）からの電波若しくは地上波放送局や放送衛星（ＢＳ）からのテレビ放送用電波により、有線テレビ（ＣＡＴＶ）放送用のケーブルにより、又は、インターネットなどに用いられる通信回線により、送られてくる情報」とに基づいて、前記据置大型表示装置の表示内容と関連する情報を表示するものである、ことを特徴とする、複数連携型表示システム。
【請求項２７】
請求項１から２４までのいずれかにおいて、
前記連携手段は、
「通信衛星（ＣＳ）からの電波若しくは地上波放送局や放送衛星（ＢＳ）からのテレビ放送用電波により、有線テレビ（ＣＡＴＶ）放送用のケーブルにより、又は、インターネットなどに用いられる通信回線により、送られてくる情報」を記録するための情報記録手段と、
前記情報記録手段に記録された情報に基づく情報であって前記据置大型表示装置の表示内容と関連する情報を、前記手元小型表示装置に向けて無線により送信するための無線送信手段と、
を含むものである、ことを特徴とする、複数連携型表示システム。
【請求項２８】
請求項１から２４までのいずれかにおいて、
前記据置大型表示装置は、映画館の中に設置されて映画などの画像を表示するためのものであり、前記前記手元小型表示装置は、「映画に出てくる場面の場所・地域に関する観光や食べ歩きなどの情報、映画に出てくるレストランなどの飲食店に関する情報、映画に出てくるデパートなどの小売店に関する情報、又は映画に出てくる製品に関する情報などのような、前記映画の各場面と関連する情報」を表示するためのものである、ことを特徴とする、複数連携型表示システム。
【請求項２９】
請求項１から２４までのいずれかにおいて、
前記手元小型表示装置は、ユーザーの頭部に搭載して使用する頭部搭載型表示装置である、ことを特徴とする、複数連携型表示システム。